(57)【要約】【課題】斬新な遊技を行うことが可能な遊技機の提供を目的とする。【解決手段】本発明に係るパチンコ遊技機によれば、前面ベース部材５３に備えた大入賞口５５が上下に直動すると共に、上端位置のときと下端位置のときとの何れの位置においても、開放状態と閉止状態とに変化するので、遊技が複雑となり、従来にはない遊技を楽しむことができる。また、大入賞口５５の位置が変化することで、大入賞口５５を狙って遊技球を発射することが困難となり、遊技の趣向性が向上する。【選択図】  図５
2004180732.tif 000002
【特許請求の範囲】
【請求項１】
遊技球が打ち出される遊技領域を有する遊技盤と、
前記遊技領域に設けられた可変入賞装置と、
前記可変入賞装置に設けられて、遊技球が入賞可能な入賞開口と、
前記可変入賞装置に設けられて、前記入賞開口に遊技球が入賞し易い有利状態と、入賞し難い又は入賞不可能な不利状態とに変更可能な可変部材とを備えた弾球遊技機において、
前記可変入賞装置のうち少なくとも前記可変部材を、第１と第２の位置の間で移動させる第１の電気的駆動手段を備え、前記可変部材は、前記第１と第２の位置の何れの位置においても前記有利状態と前記不利状態とに変動するように構成されたことを特徴とする弾球遊技機。
【請求項２】
前記可変部材は、前記有利状態では、前記入賞開口を開放する一方、前記不利状態では、前記入賞開口を閉鎖或いは縮小するように構成されたことを特徴とする請求項１に記載の弾球遊技機。
【請求項３】
前記可変入賞装置のうち少なくとも前記可変部材は、前記上下方向又は左右方向又は斜め方向の何れかの方向に移動可能に構成されたことを特徴とする請求項１又は２に記載の弾球遊技機。
【請求項４】
前記可変部材は、前記入賞開口の左右両側に配置されると共に回動可能な１対の可動翼片により構成されたことを特徴とする請求項１乃至３の何れかに記載の弾球遊技機。
【請求項５】
前記入賞開口は、遊技盤面の前方側から遊技球を受け入れ可能に構成され、
前記可変部材は、前記入賞開口の前面を覆うように配置されると共に回動可能な開閉扉により構成されたことを特徴とする請求項１乃至３の何れかに記載の弾球遊技機。
【請求項６】
前記可変部材は、前記遊技盤と直交する面内で直動する直動部材で構成され、
前記入賞開口は、前記直動部材の上面に配置されて、上方から遊技球を受け入れ可能に構成されたことを特徴とする請求項１乃至３の何れかに記載の弾球遊技機。
【請求項７】
前記可変部材は、第２の電気的駆動手段によって駆動されることを特徴とする請求項１乃至６の何れかに記載の弾球遊技機。
【請求項８】
遊技状態に応じて前記第２の電気的駆動手段を制御する制御手段を備えたことを特徴とする請求項７に記載の弾球遊技機。
【請求項９】
遊技状態に応じて前記第１の電気的駆動手段を制御する制御手段を備えたことを特徴とする請求項１乃至８の何れかに記載の弾球遊技機。
【請求項１０】
前記第１の位置と前記第２の位置とで、前記入賞開口への遊技球の入賞確率が異なるように構成したことを特徴とする請求項１乃至９の何れかに記載の弾球遊技機。
【請求項１１】
前記第１の位置と前記第２の位置との何れか一方の位置における有利状態時よりも、他方の位置における不利状態時の方が、前記入賞開口へ遊技球が入賞し易くなるように構成されたことを特徴とする請求項１乃至１０の何れかに記載の弾球遊技機。
【請求項１２】
遊技球が打ち出される遊技盤に可変入賞装置を備えた弾球遊技機において、
前記可変入賞装置は、前記遊技盤の前方に突出した突出ベース部材と、
前記突出ベース部材の上方から遊技球が入賞可能な入賞開口と、
前記突出ベース部材に設けられ、前記入賞開口の左右両側に配置されると共に、下端部を軸支して前記遊技盤と平行な面内で回動し、前記入賞開口を拡縮する１対の可動翼片と、
前記可動翼片を駆動する可動翼片駆動手段と、
前記ベース部材を上下方向又は左右方向又は斜め方向の何れかの方向に第１及び第２の位置の間で直動させるための突出ベース駆動手段とからなることを特徴とする弾球遊技機。
【請求項１３】
前記第１及び第２の何れの位置においても、前記可動翼片が前記入賞開口を拡縮するように前記可動翼片駆動手段を制御する制御手段を設けたことを特徴とする請求項１２に記載の弾球遊技機。
【請求項１４】
遊技球が打ち出される遊技盤に可変入賞装置を備えた弾球遊技機において、
前記可変入賞装置は、前記遊技盤の前面と略平行な前面を有した前面ベース部材と、
前記前面ベース部材の前方から遊技球が入賞可能な入賞開口と、
前記前面ベース部材に回動可能に設けられ、常には、前記入賞開口の前面を覆って閉塞すると共に、下端部を軸支して遊技盤面の前側に回動して前記入賞開口を開放し、前記入賞開口に遊技球を案内する開閉扉と、
前記開閉扉を開閉駆動するための開閉扉駆動手段と、
前記ベース部材を上下方向又は左右方向又は斜め方向の何れかの方向に第１及び第２の位置の間で直動させるための前面ベース駆動手段とからなることを特徴とする弾球遊技機。
【請求項１５】
前記可変入賞装置には、前記遊技盤に固定されかつ前面に開放した前面開口を有した固定部材が備えられ、
前記前面ベース部材は、前記入賞開口を一部に備えかつ前記固定部材の裏側に宛われる前面壁を有し、前記前面壁によって前記前面開口のうちの前記入賞開口と対向した部分以外を閉塞した状態で前記前面ベース部材が直動されるように構成したことを特徴とする請求項１４に記載の弾球遊技機。
【請求項１６】
前記第１及び第２の何れの位置においても、前記開閉扉が前記入賞開口を開閉するように前記開閉扉駆動手段を制御する制御手段を設けたことを特徴とする請求項１４又は１５に記載の弾球遊技機。
【請求項１７】
前記開閉扉駆動手段は、前記第１及び第２の何れか一方の位置では、前記開閉扉が前記入賞開口を開閉する一方、他方の位置では、前記開閉扉が前記入賞開口を開放状態に維持するように構成したことを特徴とする請求項１４又は１５に記載の弾球遊技機。
【発明の詳細な説明】
【０００１】
【発明の属する技術分野】
本発明は、パチンコ遊技機に代表される遊技機に関する。
【０００２】
【従来の技術】
一般に、遊技機には遊技球が入賞しやすい状態と入賞し難い状態とに変化する可変入賞装置が備えられている。そして、従来の遊技機には、可変入賞装置が上端位置となったときに遊技球が入賞し難くなり、下端位置となったときに遊技球が入賞し易くなるものがあった（特許文献１参照）。
【０００３】
【特許文献１】
特開２００２−１０２４４６号公報（段落［００１８］〜［００２２］、図７）
【０００４】
【発明が解決しようとする課題】
ところが上述した従来の遊技機では、可変入賞装置が上端位置のときには常に入賞し難い状態となり、下端位置のときには常に入賞し易い状態となっていたので、可変入賞装置への遊技球の入賞可能状態の変化が乏しく、遊技が単調であった。
【０００５】
本発明は上記事情に鑑みてなされたもので、斬新な遊技を行うことが可能な遊技機の提供を目的とする。
【０００６】
【課題を解するための手段】
上記目的を達成するためになされた請求項１の発明に係る弾球遊技機は、遊技球が打ち出される遊技領域を有する遊技盤と、遊技領域に設けられた可変入賞装置と、可変入賞装置に設けられて、遊技球が入賞可能な入賞開口と、可変入賞装置に設けられて、入賞開口に遊技球が入賞し易い有利状態と、入賞し難い又は入賞不可能な不利状態とに変更可能な可変部材とを備えた弾球遊技機において、可変入賞装置のうち少なくとも可変部材を、第１と第２の位置の間で移動させる第１の電気的駆動手段を備え、可変部材は、第１と第２の位置の何れの位置においても有利状態と不利状態とに変動するように構成されたところに特徴を有する。
【０００７】
請求項２の発明は、請求項１に記載の弾球遊技機において、可変部材は、有利状態では、入賞開口を開放する一方、不利状態では、入賞開口を閉鎖或いは縮小するように構成されたところに特徴を有する。
【０００８】
請求項３の発明は、請求項１又は２に記載の弾球遊技機において、可変入賞装置のうち少なくとも可変部材は、上下方向又は左右方向又は斜め方向の何れかの方向に移動可能に構成されたところに特徴を有する。
【０００９】
請求項４の発明は、請求項１乃至３の何れかに記載の弾球遊技機において、可変部材は、入賞開口の左右両側に配置されると共に回動可能な１対の可動翼片により構成されたところに特徴を有する。
【００１０】
請求項５の発明は、請求項１乃至３の何れかに記載の弾球遊技機において、入賞開口は、遊技盤面の前方側から遊技球を受け入れ可能に構成され、可変部材は、入賞開口の前面を覆うように配置されると共に回動可能な開閉扉により構成されたところに特徴を有する。
【００１１】
請求項６の発明は、請求項１乃至３の何れかに記載の弾球遊技機において、可変部材は、遊技盤と直交する面内で直動する直動部材で構成され、入賞開口は、直動部材の上面に配置されて、上方から遊技球を受け入れ可能に構成されたところに特徴を有する。
【００１２】
請求項７の発明は、請求項１乃至６の何れかに記載の弾球遊技機において、可変部材は、第２の電気的駆動手段によって駆動されるところに特徴を有する。
【００１３】
請求項８の発明は、請求項７に記載の弾球遊技機において、遊技状態に応じて第２の電気的駆動手段を制御する制御手段を備えたところに特徴を有する。
【００１４】
請求項９の発明は、請求項１乃至８の何れかに記載の弾球遊技機において、遊技状態に応じて第１の電気的駆動手段を制御する制御手段を備えたところに特徴を有する。
【００１５】
請求項１０の発明は、請求項１乃至９の何れかに記載の弾球遊技機において、第１の位置と前記第２の位置とで、入賞開口への遊技球の入賞確率が異なるように構成したところに特徴を有する。
【００１６】
請求項１１の発明は、請求項１乃至１０の何れかに記載の弾球遊技機において、第１の位置と第２の位置との何れか一方の位置における有利状態時よりも、他方の位置における不利状態時の方が、入賞開口へ遊技球が入賞し易くなるように構成されたところに特徴を有する。
【００１７】
請求項１２の発明に係る弾球遊技機は、遊技球が打ち出される遊技盤に可変入賞装置を備えた弾球遊技機において、可変入賞装置は、遊技盤の前方に突出した突出ベース部材と、突出ベース部材の上方から遊技球が入賞可能な入賞開口と、突出ベース部材に設けられ、入賞開口の左右両側に配置されると共に、下端部を軸支して前記遊技盤と平行な面内で回動し、前記入賞開口を拡縮する１対の可動翼片と、可動翼片を駆動する可動翼片駆動手段と、ベース部材を上下方向又は左右方向又は斜め方向の何れかの方向に第１及び第２の位置の間で直動させるための突出ベース駆動手段とからなるところに特徴を有する。
【００１８】
請求項１３の発明は、請求項１２に記載の弾球遊技機において、第１及び第２の何れの位置においても、可動翼片が入賞開口を拡縮するように可動翼片駆動手段を制御する制御手段を設けたところに特徴を有する。
【００１９】
請求項１４の発明に係る弾球遊技機は、遊技球が打ち出される遊技盤に可変入賞装置を備えた弾球遊技機において、可変入賞装置は、遊技盤の前面と略平行な前面を有した前面ベース部材と、前面ベース部材の前方から遊技球が入賞可能な入賞開口と、前面ベース部材に回動可能に設けられ、常には、入賞開口の前面を覆って閉塞すると共に、下端部を軸支して遊技盤面の前側に回動して入賞開口を開放し、入賞開口に遊技球を案内する開閉扉と、開閉扉を開閉駆動するための開閉扉駆動手段と、ベース部材を上下方向又は左右方向又は斜め方向の何れかの方向に第１及び第２の位置の間で直動させるための前面ベース駆動手段とからなるところに特徴を有する。
【００２０】
請求項１５の発明は、請求項１４に記載の弾球遊技機において、可変入賞装置には、遊技盤に固定されかつ前面に開放した前面開口を有した固定部材が備えられ、前面ベース部材は、入賞開口を一部に備えかつ固定部材の裏側に宛われる前面壁を有し、前面壁によって前面開口のうちの入賞開口と対向した部分以外を閉塞した状態で前面ベース部材が直動されるように構成したところに特徴を有する。
【００２１】
請求項１６の発明は、請求項１４又は１５に記載の弾球遊技機において、第１及び第２の何れの位置においても、開閉扉が入賞開口を開閉するように開閉扉駆動手段を制御する制御手段を設けたところに特徴を有する。
【００２２】
請求項１７の発明は、請求項１４又は１５に記載の弾球遊技機において、開閉扉駆動手段は、第１及び第２の何れか一方の位置では、開閉扉が入賞開口を開閉する一方、他方の位置では、開閉扉が入賞開口を開放状態に維持するように構成したところに特徴を有する。
【００２３】
【発明の作用及び効果】
＜請求項１，２，３の発明＞
請求項１の弾球遊技機では、可変部材が第１と第２の位置の間で移動し、それら第１と第２の位置の何れの位置においても、可変部材が有利状態と不利状態とに変動して、入賞開口への入賞可能状態が変動するので、従来の単調さが解消され、今までにない斬新な遊技を楽しむことができる。ここで、可変部材は、有利状態では、入賞開口を開放し、不利状態では入賞開口を閉鎖或いは縮小するように構成すればよい（請求項２の発明）。また、可変部材は、上下方向又は左右方向又は斜め方向の何れかの方向に移動させる構成にしてもよい（請求項３の発明）
【００２４】
＜請求項４の発明＞
請求項４の弾球遊技機では、入賞開口の左右両側に設けた１対の可動翼片が横に倒れた状態になると、その可動翼片を案内にして、大量の遊技球が入賞開口に入賞可能となる。また、可動翼片が起立状態側に回動すると、入賞開口が閉鎖又は縮小されて、入賞開口への遊技球の入賞が規制される。
【００２５】
＜請求項５の発明＞
請求項５の弾球遊技機では、前方から遊技球を受け入れ可能な入賞開口の前面を覆うように開閉扉が設けられているので、常には、入賞開口への遊技球の入賞が規制されている。そして、開閉扉が下端部を中心にして前側に回動したときには、入賞開口が開放されると共に、開閉扉を案内にして大量の遊技球が入賞開口に入賞可能となる。
【００２６】
＜請求項６の発明＞
請求項６の弾球遊技機では、直動部材が遊技盤から突出すると、入賞開口が開放されて、入賞開口に遊技球が入賞可能になる。一方、直動部材が遊技盤内に向かって退避すると、入賞開口が閉じられて、入賞開口への遊技球の入賞が規制される。
【００２７】
＜請求項７，８，９の発明＞
可変部材は、第２の電気的駆動手段によって駆動する構成が好ましい（請求項７の発明）。また、遊技状態に応じて第２の電気的駆動手段を制御する制御手段を備えた構成にしてもよい（請求項８の発明）。さらに、遊技状態に応じて第１の電気的駆動手段を制御する制御手段を備えてもよい（請求項９の発明）。
【００２８】
＜請求項１０，１１の発明＞
請求項１０の弾球遊技機では、第１の位置における有利状態時と第２の位置における有利状態時とで、入賞開口への入賞確率を異ならせることができる。また、第１の位置における不利状態時と第２の位置における不利状態時とで、入賞開口への入賞確率を異ならせることができる。これにより、入賞開口への入賞可能状態が変化して、遊技の趣向性を向上することができる。ここで、第１の位置と第２の位置との何れか一方の位置における有利状態時よりも、他方の位置における不利状態時の方が、入賞開口へ入賞し易くなるように構成してもよい（請求項１１の発明）。
＜請求項１２，１３の発明＞
請求項１２の弾球遊技機では、遊技盤の前方に突出した突出ベース部材に設けた入賞開口の左右両側に１対の可動翼片を配置することで、所謂、チューリップ型の可変入賞装置が構成される。そして、この可変入賞装置は、突出ベース部材ごと、第１及び第２の位置の間で直動するので、可変入賞装置を狙って遊技球を発射することが困難になり、遊技の趣向性が向上する。ここで、第１及び第２の何れの位置においても、可動翼片を駆動して入賞開口を拡縮することで、さらに、遊技が複雑になり、趣向性が更に向上する（請求項１３の発明）。
【００２９】
＜請求項１４，１６の発明＞
請求項１４の弾球遊技機では、前面ベース部材の前方に開放した入賞開口を覆って閉塞する開閉扉を設けたことで、所謂、大入賞口型の可変入賞装置が構成される。そして、この可変入賞装置は、前面ベース部材ごと第１及び第２の位置の間で直動するので、可変入賞装置を狙って遊技球を発射することが困難になり、遊技の趣向性が向上する。ここで、第１及び第２の何れの位置においても、開閉扉を駆動して入賞開口を拡縮することで、さらに、遊技が複雑になり、趣向性が更に向上する（請求項１６の発明）。
【００３０】
＜請求項１５の発明＞
請求項１５の弾球遊技機のように、遊技盤に固定された固定部材の前面開口を前面ベース部材の前面壁によって塞いだ状態で、その前面壁の一部に備えた入賞開口が直動しかつ開閉される構成にすることが好ましい。
【００３１】
＜請求項１７の発明＞
請求項１７の弾球遊技機のように、第１及び第２の何れか一方の位置では、入賞開口を開閉する一方、他方の位置では、入賞開口を開放状態に維持するようにしてもよい。
【００３２】
【発明の実施の形態】
＜第１実施形態＞
以下、本発明を適用したパチンコ遊技機に係る第１実施形態を、図１〜図６に基づいて説明する。図１に示すように、本実施形態のパチンコ遊技機の遊技盤１１には、ガイドレール１２で囲まれたほぼ円形の遊技領域に、チューリップ型の第１可変入賞装置４０、大入賞口型の第２可変入賞装置５０、上側サイド入賞口２０及び下側サイド入賞口２１が備えられている。
【００３３】
第１可変入賞装置４０と第２可変入賞装置５０とは、遊技領域のうち中央下寄り位置に上下に並べて配置されており、第２可変入賞装置５０の下方には、アウト口１６が備えられている。上側サイド入賞口２０及び下側サイド入賞口２１は、第１可変入賞装置４０及び第２可変入賞装置５０を挟んだ両側にそれぞれ１対ずつ配置されている。前記第１可変入賞装置４０の上方には、表示装置１３が設けられ、表示装置１３を挟んだ両側には、上から順に、ランプ風車１７、始動ゲート１８及び風車１９が設けられている。また、ガイドレール１２に沿った両側部には、円弧状のサイドランプ２２，２２が設けられている。さらに、遊技領域全体に亘って図示しない複数の障害釘が起立している。
【００３４】
図１に示すように、パチンコ遊技機のうち、遊技盤１１より上方には、遊技盤１１の前面側に張り出した装飾ランプ３３が設けられている。また、遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａに設けたボタン２９を押せば、上皿２７Ａから下皿２７Ｂに遊技球が移動して収容される。また、上皿２７Ａを挟んだ両側には、１対のスピーカ５９Ｓが設けられている。
【００３５】
さらに、図２に示すように、パチンコ遊技機の後面中央には、メイン制御装置５０（本発明の「制御手段」に相当する）が設けられ、このメイン制御装置７０に重なるようにして、発光体制御装置７１、音声制御装置７２及び表示制御装置７３が設けられている。また、これら各制御装置７０，７１，７２，７３の下方には、電源装置、払出制御装置、発射制御装置等の種々の制御装置が設けられている。ここで、メイン制御装置７０は、遊技状態に応じて各制御装置７１，７２，７３等を制御すると共に、後述する第１可変入賞装置４０や第２可変入賞装置５０を制御している。即ち、第１可変入賞装置４０に備えたソレノイドや第２可変入賞装置５０に備えたソレノイド６２及びステッピングモータ６９（図４（Ｂ）を参照）を駆動制御する。
【００３６】
次に所要の各部位について説明する。
上側サイド入賞口２０及び下側サイド入賞口２１は、共に遊技球が１つ入賞可能な開口幅をなして上方に開放されている。
【００３７】
始動ゲート１８は、上方と斜め下方とに開放した通路を備えており、始動ゲート１８の上面からその通路内に入った遊技球が、斜め下方の表示装置１３側に向かって排出される。
【００３８】
表示装置１３は、遊技盤１１に形成した貫通孔に、装飾枠２３を嵌め込み、その装飾枠２３の奥部に、ＴＦＴ−ＬＣＤモジュールからなる表示器３４を備えてなる。
【００３９】
表示装置１３における表示器３４には、図１に示すように３つの特別図柄１３Ａ，１３Ｂ，１３Ｃが横並びに停止表示されている。各特別図柄１３Ａ，１３Ｂ，１３Ｃは、「０」〜「９」の識別番号を表記した１０種類の図柄で構成されており、通常は、各特別図柄１３Ａ，１３Ｂ，１３Ｃごとに何れか１種類の識別番号が停止表示されている。そして、後述する第１可変入賞装置４０に遊技球が入賞すると、各特別図柄１３Ａ，１３Ｂ，１３Ｃが、上下方向にスクロールして変動表示される。
【００４０】
各特別図柄１３Ａ，１３Ｂ，１３Ｃがスクロールしてから所定時間後に、例えば、左特別図柄１３Ａ、右特別図柄１３Ｃ、中特別図柄１３Ｂの順で、スクロールが停止して所定の図柄が停止表示される。ここで、例えば、停止表示された特別図柄１３Ａ，１３Ｂ，１３Ｃの全部が同じ数字になった場合（所謂、ぞろ目になった場合）には、大当たり遊技が実行され、後述する第２可変入賞装置５０の開閉扉５８が所定期間に亘って前側に倒れる。
【００４１】
表示器３４のうち、特別図柄１３Ａ，１３Ｂ，１３Ｃの表示領域の左下隅には、普通図柄表示領域２４が設けられている。この普通図柄表示領域２４は、始動ゲート１８内に設けた普通図柄始動スイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、後述する第１可変入賞装置４０に設けた可動翼片４４，４４が所定期間（例えば、０．４秒）に亘って横に倒される。なお、普通図柄表示領域２４で表示する図柄は、数字に限るものではなく、アルファベットや記号等でもよい。
【００４２】
第１可変入賞装置４０は、所謂ポケット構造をなし、上方より第１可変入賞装置４０に入賞した遊技球を遊技盤１１の裏面側へ導く入賞開口４３を備える。入賞開口４３の両側には、１対の可動翼片４４，４４が備えられている。可動翼片４４，４４は、その下端部を遊技盤１１に直交した回動軸によって軸支されており、遊技盤１１面に平行な面内で回動可能となっている。可動翼片４４，４４は、常には、起立状態となっており、入賞開口４３は遊技球が１つだけ入賞可能な大きさとなっている。始動ゲート１８に遊技球が通過して上述した所定の条件が成立した場合には、図示しないソレノイドによって可動翼片４４，４４が前記回動軸を中心にして左右に倒れる（図１の状態）。これにより、入賞開口４３が拡開して、可動翼片４４，４４を案内にしてより多くの遊技球が第１可変入賞装置４０に入賞可能となる。
【００４３】
第２可変入賞装置５０には、横長の大入賞口５５（図４を参照、本発明の「入賞開口」に相当する）が備えられている。大入賞口５５は、常には、開閉扉５８にて閉塞されて（図１の状態、本発明の「不利な状態」に相当する）、遊技球が入球できないようになっている。そして、遊技が大当たり状態となると（特別図柄１３Ａ，１３Ｂ，１３Ｃがぞろ目となると）、開閉扉５８が所定期間に亘って前側に倒れるという、所謂、大当たり遊技が実行される。これにより、大入賞口５５が開放状態（本発明の「有利な状態」に相当する）となり、開閉扉５８を案内にして大入賞口５５に多くの遊技球が入賞可能になる。ここで、開閉扉５８が、開放してから閉じるまでの間を「ラウンド」と称すると、１つのラウンドは、開閉扉５８の開放時間が２９秒に達したか、又は、大入賞口５５に遊技球が１０個入賞したか、の何れかの条件が先に満たされた場合に終了する。
【００４４】
さらに、大入賞口５５は、遊技状態に応じて遊技盤１１上を上下方向に移動する。即ち、通常遊技状態のときは、常にアウト口１６寄りの位置で停止されており（図１の状態）、大当たり遊技時には、アウト口１６寄りの位置と第１可変入賞装置４０寄りの位置とに移動する。
【００４５】
次に、大入賞口５５を備えた第２可変入賞装置５０について詳細に説明する。第２可変入賞装置５０は、図３に全体が示されており、本発明に係る固定部材５１を備える。固定部材５１は、遊技盤１１に貫通形成した貫通孔の開口縁に遊技盤１１の前面側から敷設されてねじ止めされている。固定部材５１のうち左右方向の中央には、矩形窓５２（本発明の「前面開口」に相当する）が形成され、矩形窓５２の後側には本発明に係る前面ベース部材５３が設けられている。
【００４６】
前面ベース部材５３は、図５（Ａ）に示すように、固定部材５１の後面に重ねられて矩形窓５２を塞ぐ前面壁５４を備え、前面壁５４のうち上下方向の中間部分には、上述した横長矩形の大入賞口５５が開口している。また、この大入賞口５５を一端に備えたダクト５６が前面ベース部材５３の後面から後方に延設されており、そのダクト５６の他端には、下方に向いて開放した継続入賞口３０及び計数入賞口３１が備えられている。
【００４７】
図４（Ｂ）に示すように、継続入賞口３０と計数入賞口３１とは、ダクト５６の奥側に横並びに設けられており、大入賞口５５を通過してダクト５６内に入球した遊技球は、これら継続入賞口３０及び計数入賞口３１の何れかを通過する。より詳細には、開閉扉５８が開いたときには、継続入賞口３０は開放しており、継続入賞口３０に入賞後、図示しないソレノイドが駆動されて、継続入賞口３０が閉鎖される一方、計数入賞口３１は開放されたままとなる。そして、継続入賞口３０内に設けた大当たり状態継続スイッチ３０Ｓ（図５参照）が遊技球の入賞を検出すると、前述した終了条件を満たしてラウンドが終了した後で、連続して次のラウンドが実行される。また、計数入賞口３１内に設けた入賞球数カウントスイッチ（図示せず）が遊技球の入賞を検出すると、前記継続入賞口３０への入賞球と合わせて、大入賞口５５への入賞球がカウントされ、これらが前記したように計１０個に達したか否かがチェックされる。なお、本実施形態では、大当たり遊技を最大で１５ラウンドまで連続して実行することが可能となっている。
【００４８】
前面ベース部材５３には、大入賞口５５を塞ぐように開閉扉５８が設けられている。開閉扉５８は、大入賞口５５に対向した横長矩形の板状をなし、開閉扉５８の下端部に備えた回動軸５９が前面ベース部材５３の一部に回転可能に保持されている。
【００４９】
開閉扉５８は、開閉扉５８の下端部から後方に延設された扉レバー６０に開閉機構部６１（本発明の「開閉扉駆動手段」に相当する）から力を受け、図５（Ａ）に示すように開閉扉５８が直立して大入賞口５５を閉塞した状態と、図５（Ｂ）に示すように開閉扉５８が前方に傾倒して大入賞口５５を開いた状態との間で回動する。
【００５０】
詳細には、開閉機構部６１は、ダクト５６の後部に固定されたソレノイド６２（本発明の「第２の電気的駆動手段」に相当する）を駆動源として備える。ダクト５６の側部には、シーソーアーム６４が備えられている。シーソーアーム６４は、ソレノイド６２の本体から下方に延びた可動シャフト６３と開閉扉５８の扉レバー６０との中間位置に回動可能に設けられている。そして、シーソーアーム６４の後端が、可動シャフト６３の先端に固定された連結部品６５に連結され、シーソーアーム６４の前端が、扉レバー６０の先端に備えたエンボス６６を上方から押している。また、開閉扉５８には、大入賞口５５を開放する方向に付勢する図示しないトーションバネが連結されている。そして、図５（Ａ）に示すように、可動シャフト６３が上下のストロークの上端部に位置したときは、シーソーアーム６４の後端部が連結部品６５により持ち上げられることで、シーソーアーム６４の前端部が扉レバー６０を押し下げて、開閉扉５８が大入賞口５５を閉じる。一方、図５（Ｂ）に示すように、可動シャフト６３が上下のストロークの下端部に位置したときは、シーソーアーム６４の後端部が連結部品６５により押し下げられることで、シーソーアーム６４の前端部が扉レバー６０の押し付けを解除し、トーションバネの弾発力により、開閉扉５８が前側に傾動して大入賞口５５を開放する。
【００５１】
図４に示すように、前面ベース部材５３の左右の両側面には、それぞれラックギヤ６７，６７が形成されている。また、固定部材５１の後面のうち矩形窓５２を間に挟んだ両側には、ピニオンギヤ６８，６８が設けられ（図３を参照）、これらピニオンギヤ６８，６８とラックギヤ６７，６７とが噛合している。一方のピニオンギヤ６８は、ステッピングモータ６９（本発明の「第１の電気的駆動手段」に相当する）の駆動シャフト６９Ｓ（図４（Ｂ）参照）に固定されている。さらに、図４（Ｂ）示すように、前面ベース部材５３の左右の両側面のうち、ラックギヤ６７，６７よりも前側の部分は、側方に向かって張り出しており、この張り出した部分が固定部材５１の裏面に形成されたレール部５１Ｒに係合している。これらにより、ステッピングモータ６９が駆動すると、前面ベース部材５３が、矩形窓５２の上端部（第１可変入賞装置４０寄り位置）と下端部（アウト口１６寄り位置）との間を上下に直動可能（図５及び図６を参照）となっている。なお、ラックギヤ６７、ピニオンギヤ６８及びステッピングモータ６９が本発明の「前面ベース駆動手段」に相当する。
【００５２】
本実施形態のパチンコ遊技機の構成は以上であり、次に上記構成からなるパチンコ遊技機の作用・効果を説明する。
操作ノブ２８を操作することで、遊技球が連続的に遊技盤１１の遊技領域に弾き出されると、それら遊技球は、障害釘、ランプ風車１７，風車１９等に当たって向きを変えられ、ランダムな経路を通って遊技領域の下方に向かう。遊技領域を流下する途中で、始動ゲート１８を遊技球が通過すると、普通図柄表示領域２４が変動表示する。そして普通図柄表示領域２４で表示された普通図柄が、例えば奇数で停止表示されると、第１可変入賞装置４０に備えた可動翼片４４，４４が左右に倒れて、入賞開口４３が拡開状態となり、可動翼片４４，４４が起立状態のときよりも多くの遊技球が第１可変入賞装置４０に入賞する。第１可変入賞装置４０に遊技球が入賞すると、表示器３４において特別図柄１３Ａ，１３Ｂ，１３Ｃがスクロール表示を開始し、所定時間経過後に停止表示される。ここで、停止表示された特別図柄１３Ａ，１３Ｂ，１３Ｃがぞろ目となると、大当たり遊技が実行される。大当たり遊技が実行されると、ソレノイド６２によって大入賞口５５を塞いでいた開閉扉５８が前側に倒されて、大入賞口５５が開放状態となる。これにより多くの遊技球が開閉扉５８を案内にして大入賞口５５に入賞する。
【００５３】
さて、大当たり遊技開始直後の１ラウンド目のときは、前面ベース部材５３は、矩形窓５２の下端位置（アウト口１６寄り位置）となっている。そして、この位置でソレノイド６２によって開閉扉５８が前側に倒されて、大入賞口５５が開放状態となる（図５（Ｂ）の状態）。１ラウンド目の間に大入賞口５５の内部に備えた継続入賞口３０に遊技球が入賞し、前述した終了条件が成立すると、開閉扉５８が大入賞口５５を一旦閉止状態（図５（Ａ）の状態）とした後で再び開閉扉５８が傾動し、大入賞口５５を開放状態（図５（Ｂ）の状態）として２ラウンド目が開始される。即ち、大入賞口５５が、下端位置で開放状態（図５（Ｂ）の状態）と閉止状態（図５（Ａ）の状態）とに変化する。
【００５４】
大当たり遊技の３ラウンド目が終了して、４ラウンド目に移行するときに、ステッピングモータ６９が駆動して、前面ベース部材５３が矩形窓５２の下端位置から上端位置（第１可変入賞装置４０寄り位置）に移動する。詳細には、３ラウンド目が終了して大入賞口５５が開閉扉５８によって閉止状態とされた後で、ステッピングモータ６９が駆動する。そして、大入賞口５５を開閉扉５８によって閉止状態としたままで、前面ベース部材５３が矩形窓５２の下端位置から上端位置へと移動する。前面ベース部材５３が上端位置となると、ステッピングモータ６９が停止すると共にソレノイド６２が駆動して、再び開閉扉５８が前側に倒される。そして、大入賞口５５が開放状態（図６（Ｂ）の状態）とされて４ラウンド目が開始される。そして、４ラウンド目が終了すると、上述したように、開閉扉５８によって大入賞口５５が閉止状態（図６（Ａ）の状態）とされる。即ち、４〜６ラウンド目の間は、前面ベース部材５３が矩形窓５２の上端位置に位置しており、前面ベース部材５３に備えた大入賞口５５は、上端位置で開放状態（図６（Ｂ）の状態）と閉止状態（図６（Ａ）の状態）とに変化する。なお、大入賞口５５が、上端位置で開放状態となったときと下端位置で開放状態となったときとでは、大入賞口５５と遊技盤１１に備えた障害釘との相対位置関係が異なるので、大入賞口５５への入賞確率が異なる。
【００５５】
７ラウンド目以降も、同様にして、大当たり遊技を３ラウンド連続して実行する毎に、ステッピングモータ６９が駆動して、前面ベース部材５３が上端位置と下端位置とに移動する。即ち、７〜９ラウンド目及び１３〜１５ラウンド目を実行中は、大入賞口５５は、下端位置で開放状態と閉止状態とに変化し、１０〜１２ラウンド目を実行中は、大入賞口５５は、上端位置で開放状態と閉止状態とに変化する。
【００５６】
このように、本実施形態によれば、前面ベース部材５３に備えた大入賞口５５が上下に直動すると共に、上端位置のときと下端位置のときとの何れの位置においても、開放状態と閉止状態とに変化するので、遊技が複雑となり、従来にはない遊技を楽しむことができる。また、大入賞口５５の位置が変化することで、一定の発射力で大入賞口５５を狙って遊技球を発射することが困難となる。これにより、遊技者に大入賞口５５の位置に応じて遊技球の発射力を調節しながら遊技を行わせることができ、遊技の趣向性が向上する。
【００５７】
＜第２実施形態＞
本実施形態は、図７及び図８に示されており、前記第１実施形態における第２可変入賞装置５０の構成のみが異なる。以下、第１実施形態と異なる構成に関してのみ説明し、第１実施形態と同じ構成については、同一符号を付して重複説明は省略する。
【００５８】
図７に示すように、本実施形態の大入賞口型の第２可変入賞装置８０では、前面ベース部材５３における前面壁５４のうち上端部に大入賞口５５が配置されている。また、大入賞口５５に入賞した遊技球を回収するためのダクト８１は、固定部材５１に固定されている。ダクト８１は、上下方向で段付構造をなしており、前面ベース部材５３が下端部に位置したときには（図７の状態）、大入賞口５５とによって連通空間が形成される。一方、前面ベース部材５３が上端部に位置したときには（図８の状態）、ダクト８１に形成された奥壁８２が大入賞口５５の真後ろに配置され、大入賞口５５のほぼ全体を後側から塞いだ状態となる。ここで、前面ベース部材５３が上端部に位置するとき（図８の状態）には、大入賞口５５の下辺と奥壁８２の下部との間に隙間が形成されているが、この隙間は遊技球の直径よりも小さいので、遊技球が通過して、ダクト８１内に転入することはない。
【００５９】
また、前面ベース部材５３の上端部は、前方に向かって下方に傾斜している。これにより、前面ベース部材５３が下端部に位置するときに、奥壁８２側に転入した遊技球が、スムーズに遊技領域に排出されるようになっている。
【００６０】
さらに、本実施形態において、開閉扉５８を開閉動作させる開閉機構部６１は、ダクト８１に固定されており、前面ベース部材５３の上下の直動に伴なって移動しないようになっている。即ち、開閉扉５８は、前面ベース部材６３が下端位置のときにのみ回動され、上端位置のときには、前側に倒れた状態に保持される。
【００６１】
本実施形態の構成は以上のようであり、開閉機構部６１は、ダクト８１に固定されているので開閉扉５８の動作が前記第１実施形態と異なる。
前面ベース部材５３が下端部に位置しているときは、シーソーアーム６４が開閉扉５８の扉レバー６０に係合可能となっているので、ソレノイド６２によって開閉扉５８が回動され、大入賞口５５が開放状態と閉止状態とに変化する。
【００６２】
前面ベース部材５３は、下端位置においてシーソーアーム６４と前端部と扉レバー６０との係合を解除して、開閉扉５８を前側に倒れた状態としたままで上端位置へ移動する。すると、前面ベース部材５３が下端位置から上端位置へ移動するに従って、大入賞口５５とダクト８１との連通空間が次第に縮小される。なお、このとき、開閉機構部６１を構成するソレノイド６２やシーソーアーム６４等は、ダクト８１に固定されているので、移動しない。
【００６３】
前面ベース部材５３が上端部に位置しているときは、シーソーアーム６４と扉レバー６０とが係合不可能となっているので、開閉扉５８は、常に前側に倒れた状態とされる。そして、この状態のときに、大入賞口５５側に転入してきた遊技球は、奥壁８２に衝突する等して、開閉扉５８上に落下し、開閉扉５８の傾斜によって、開閉扉５８の基端側に案内され、奥壁８２との間に保持される。
【００６４】
そして、前面ベース部材５３が、上端位置から下端位置へ移動すると、大入賞口５５とダクト８１との連通空間が次第に拡大されると共に、開閉扉５８上に保持されていた遊技球が、一気にダクト８１内に転入する。
【００６５】
このように本実施形態によれば、開閉機構部６１がダクト８１に固定されているので、開閉機構部６１としてのソレノイド６２やシーソーアーム６４等が前面ベース部材５３と共に移動した場合と比較して、前面ベース部材５３の移動に必要なスペースを縮小することができる。また、前面ベース部材５３が、上端位置のときに開閉扉５８上に遊技球を保持させておいて、前面ベース部材５３が下端部に移動するときに、保持した遊技球を一気にダクト８１内に転入させるという従来にない遊技を楽しむことができる。さらに、前面ベース部材５３が移動中に、大入賞口５５とダクト８１との連通空間の大きさが変化するので、第２可変入賞装置８０への入賞可能状態が変化して、遊技の趣向性が向上する。
【００６６】
＜第３実施形態＞
本実施形態は、図９に示されており、前記第１実施形態におけるチューリップ型の第１可変入賞装置４０に本発明を適用したものである。即ち、本実施形態の第１可変入賞装置９０は、遊技盤１１から前方へ突出した突出ベース部材４２を備える。突出ベース部材４２のうち遊技盤１１の後側には、この突出ベース部材４２を上下に直動させる為のステッピングモータ（本発明の「突出ベース駆動手段」に相当する）が備えられている。
【００６７】
遊技盤１１には貫通孔が形成されており、その開口縁には、装飾板４５が遊技盤１１の前面側から敷設され螺子止めされている。装飾板４５の中央部分には、前記貫通孔に対応した縦長の開口部４１が形成されている。また、遊技盤１１の裏側には、開口部４１を塞ぐと共に、突出ベース部材４２と共に上下に直動する規制板４６が備えられている。これにより、遊技球が開口部４１から遊技盤１１の後側に転入しないようになっている。
【００６８】
規制板４６のうち、突出ベース部材４２の前面板４２Ａと対向した位置には、遊技盤１１の前後方向に貫通した球入口４７が形成されている。そして、入賞開口４３から突出ベース部材４２の内部に進入した遊技球は、この球入口４７から遊技盤１１の奥側に形成された図示しないダクトを通って遊技盤１１の後側に回収される。なおダクトの途中には、突出ベース部材４２、即ち第１可変入賞装置９０に入賞した遊技球を検出するための検出センサが備えられている。
【００６９】
可動翼片４４，４４を軸支する回動軸は、遊技盤１１に対して垂直に備えられ、突出ベース部材４２の前面板４２Ａと、規制板４６との間に差し渡されている。そして可動翼片４４，４４は、遊技状態に応じて、図示しないソレノイド（本発明の「可動翼片駆動手段」に相当する）によって起立状態と拡開状態とに駆動される。
【００７０】
第１可変入賞装置９０のうち、遊技盤１１の後側には、突出ベース部材４２を上下に直動させるための直動機構（本発明の「突出ベース駆動手段」に相当する）が備えられている。ここで、第１可変入賞装置９０に備えた直動機構の構成は、上記第１実施形態で述べた、本発明の「前面ベース駆動手段」に相当する部分と同一な構成となっているので、説明を省略する。
【００７１】
さらに、遊技盤１１のうち、第１可変入賞装置９０の周辺には、複数の障害釘１００が備えられている。より詳細には、突出ベース部材４２の直上に、所謂、命釘１００Ａが配設され、突出ベース部材４２の両側方には、遊技球を突出ベース部材４２側に案内する案内釘１００Ｂ，１００Ｃが上下に配設されている。そして、突出ベース部材４２が上下に直動することにより、これら障害釘１００（１００Ａ，１００Ｂ，１００Ｃ）と突出ベース部材４２との相対位置が変化する。
【００７２】
次に本実施形態の動作を説明する。
通常遊技状態時には、第１可変入賞装置９０は、開口部４１の下端位置（第２可変入賞装置５０寄り位置）となっている（図９（Ａ）の状態）。そして、始動ゲート１８へ遊技球が通過して、普通図柄が当たり図柄となったときに、可動翼片４４，４４が左右に拡開する。ここで、遊技球は、命釘１００Ａの間や上側の案内釘１００Ｂに案内されて、第１可変入賞装置９０に入賞する。
【００７３】
大当たり遊技状態時には、ラウンド毎に突出ベース部材４２が上下に移動する。具体的には、大当たり遊技の１ラウンド目が実行されると、直動機構によって突出ベース部材４２が下端位置から上端位置（表示装置１３寄り位置）に移動される（図９（Ｂ）の状態）。そして１ラウンド目を実行中に、始動ゲート１８に遊技球が通過して、普通図柄が当たり図柄となると、ソレノイドが駆動して、可動翼片４４，４４が上端位置で左右に拡開される。即ち、本実施形態の第１可変入賞装置９０は、上端位置と下端位置とに直動すると共に、上端位置と下端位置との何れの位置でも可動翼片４４，４４が回動され、入賞開口４３の大きさが変化する。ここで、突出ベース部材４２が下端位置にあるとき（図９（Ａ）の状態）には、遊技球は、命釘１００Ａや上側の案内釘１００Ｂと共に、下側の案内釘１００Ｃによっても第１可変入賞装置９０に案内される。即ち、突出ベース部材４２が上端位置でかつ可動翼片４４，４４が拡開状態のときと、突出ベース部材４２が下端位置でかつ可動翼片４４，４４が拡開状態のときとでは、遊技球の入賞確率が異なる。また同様に、突出ベース部材４２が上端位置でかつ可動翼片４４，４４が起立状態のときと、突出ベース部材４２が下端位置でかつ可動翼片４４，４４が起立状態のときとでは、遊技球の入賞確率が異なる。
【００７４】
ここで、例えば、突出ベース部材４２が上端位置でかつ可動翼片４４，４４が拡開状態のときよりも、突出ベース部材４２が下端位置でかつ可動翼片４４，４４が起立状態のときの方が、遊技球が入賞開口４３に入賞し易い構成としてもよい。
【００７５】
突出ベース部材４２は、３ラウンド目以降も同様に動作し、奇数ラウンド時には、下端位置で可動翼片４４，４４が開閉動作され、偶数ラウンド時には、開口部４１の上端位置で可動翼片４４，４４が開閉動作される。
【００７６】
このように本実施形態によれば、第１可変入賞装置９０に備えた突出ベース部材４２が上下に直動するので、一定の発射力で突出ベース部材４２の入賞開口４３を狙って遊技球を発射することが困難となる。これにより、遊技者に入賞開口４３の位置に応じて遊技球の発射力を調節しながら遊技を行わせることができ、遊技の趣向性が向上する。また、突出ベース部材４２に備えた可動翼片４４，４４が、突出ベース部材４２が上端位置のときと下端位置のときの何れのときにも回動されて、入賞開口４３の入賞可能状態が変化するので、遊技が複雑となり、趣向性が向上する。さらに、突出ベース部材４２が下端位置にあるときと上端位置にあるときとで入賞開口４３への入賞確率が変化するので、遊技の趣向性を向上することができる。
【００７７】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１〜第３の実施形態においては、弾球遊技機の一例としてパチンコ遊技機を例示したが、本発明はこれに限られず、他の弾球遊技機に適用してもよい。
【００７８】
（２）前記第１及び第２実施形態においては、前面ベース部材５３が、大当たり遊技が３ラウンド連続した場合に上下に直動するように構成されていたが、これに限るものではなく、１ラウンドごとに直動するようにしてもよいし、他の複数ラウンドごとに直動するようにしてもよい。さらに、ラウンド中に上下に直動するようにしてもよい。
【００７９】
（３）前記第１〜第３実施形態においては、前面ベース部材５３及び突出ベース部材４２が、上下方向に直動されていたが、左右方向や斜め方向に直動するようにしてもよい。
【００８０】
（４）遊技盤１１に対して直交する方向に直動する直動部材を備え、直動部材が遊技盤１１から突出したときに入賞開口が開放されて遊技球が入賞可能となり、遊技盤１１側に向かって退避すると入賞開口が閉じられて、遊技球の入賞が規制される可変部材に本発明を適用してもよい。
【００８１】
（５）前記第３実施形態においては、突出ベース部材４２が、１ラウンド毎に移動されていたが、例えば、第１可変入賞装置４０に備えた入賞開口に遊技球が入球するごとに移動するような構成としてもよい。
【００８２】
（６）前記第１〜第３実施形態においては、第１可変入賞装置９０又は第２可変入賞装置５０の何れか一方が上下に移動されていたが、第１可変入賞装置９０と第２可変入賞装置５０の両方が移動するような構成してもよい。
【００８３】
（７）前記第２実施形態においては、前面ベース部材５３が上端位置のときは、開閉扉５８と奥壁８２との間に遊技球が保持されるように構成されていたが、大入賞口５５の下辺と奥壁８２の下部との間の隙間を遊技球の直径より大きくして、前面ベース部材５３が上端位置のときも、遊技球がダクト８１内に転入可能な構成としてもよい。
【００８４】
（８）前記第１〜第３実施形態では、可動翼片４４及び開閉扉５８がソレノイドによって回動されていたが、これに限るものではなく、例えば、第１可変入賞装置４０，９０や第２可変入賞装置５０に入賞した遊技球の自重によって、回動するような構成としてもよい。
【図面の簡単な説明】
【図１】本発明の第１実施形態に係るパチンコ遊技機の正面図
【図２】パチンコ遊技機の背面図
【図３】第２可変入賞装置の正面図
【図４】（Ａ）前面ベース部材の正面図
（Ｂ）前面ベース部材の平断面図
【図５】（Ａ）下端位置で大入賞口が閉止状態のときの第２可変入賞装置の側断面図
（Ｂ）下端位置で大入賞口が開放状態のときの第２可変入賞装置の側断面図
【図６】（Ａ）上端位置で大入賞口が閉止状態のときの第２可変入賞装置の側断面図
（Ｂ）上端位置で大入賞口が開放状態のときの第２可変入賞装置の側断面図
【図７】（Ａ）第２実施形態に係る第２可変入賞装置が下端位置で大入賞口を閉止状態としたときの側断面図
（Ｂ）第２実施形態に係る第２可変入賞装置が下端位置で大入賞口を開放状態としたときの側断面図
【図８】第２可変入賞装置が上端位置のときの側断面図
【図９】（Ａ）第３実施形態に係る第１可変入賞装置が下端位置のときの正面図
（Ｂ）第３実施形態に係る第１可変入賞装置が上端位置のときの正面図
【符号の説明】
１１  遊技盤
４０，９０  第１可変入賞装置
４２  突出ベース部材
４２Ａ  前面板
４３  入賞開口
４４，４４  可動翼片
５０，８０  第２可変入賞装置
５１  固定部材
５２  矩形窓（前面開口）
５３  前面ベース部材
５４  前面壁
５５  大入賞口（入賞開口）
５８  開閉扉
６１  開閉機構部（開閉扉駆動手段）
６２  ソレノイド（第２の電気的駆動手段）
６４  シーソーアーム
６７  ラックギヤ（前面ベース駆動手段）
６８  ピニオンギヤ（前面ベース駆動手段）
６９  ステッピングモータ（第１の電気的駆動手段、前面ベース駆動手段）
７０  メイン制御装置（制御手段）
【図１】
2004180732.tif 000003
【図２】
2004180732.tif 000004
【図３】
2004180732.tif 000005
【図４】
2004180732.tif 000006
【図５】
2004180732.tif 000007
【図６】
2004180732.tif 000008
【図７】
2004180732.tif 000009
【図８】
2004180732.tif 000010
【図９】
2004180732.tif 000011